(57)【要約】【課題】パチンコ機の電源供給系の電気配線の低コスト化、省スペース化及び接続作業性向上の要求を満たすことができるようにする。【解決手段】ベースコネクタ１６に配列した各端子には、電源ユニット１４に接続された電源線１８とグランド線１９、及びメイン制御基板１１、発射制御基板１２、払出制御基板１３等に接続された電源線２０とグランド線２１を接続する。一方、ジョイントコネクタ１７には、ベースコネクタ１６の各端子間を所定パターンで接続するように形成した接続部材２２を設ける。ベースコネクタ１６とジョイントコネクタ１７とを連結してベースコネクタ１６の各端子間をジョイントコネクタ１７の接続部材２２によって所定パターンで接続することで、電源ユニット１４側の電源線１８とグランド線１９を所定の配線パターンで分岐して各制御基板１１〜１３側の電源線２０とグランド線２１に接続する。【選択図】  図１
2004248796.tif 000002
【特許請求の範囲】
【請求項１】
遊技機の電源線、信号線、アース線等の電線で構成される電気配線の一方側の電線と他方側の電線とを電気的に接続する遊技機のコネクタ装置であって、
前記一方側の電線に接続された端子と前記他方側の電線に接続された端子とが配列されたベースコネクタと、
前記ベースコネクタに配列された端子間を所定パターンで接続するように形成した接続部材が設けられたジョイントコネクタとを備え、
前記ベースコネクタと前記ジョイントコネクタとを連結して該ベースコネクタに配列された端子と該ジョイントコネクタの接続部材とを接続することで、前記一方側の電線と前記他方側の電線とを所定の配線パターンで接続するように構成されていることを特徴とする遊技機のコネクタ装置。
【請求項２】
遊技機の電源線、信号線、アース線等の電線で構成される電気配線の一方側の電線と他方側の電線とを電気的に接続する遊技機のコネクタ装置であって、
前記一方側の電線の先端部に設けられたベースコネクタと、
前記他方側の電線の先端部に設けられたジョイントコネクタとを備え、
前記ベースコネクタ内には、前記一方側の電線に接続された端子が配列され、
前記ジョイントコネクタ内には、前記他方側の電線と前記ベースコネクタに配列された端子とを所定パターンで接続するように形成した接続部材が設けられ、
前記ベースコネクタと前記ジョイントコネクタとを連結して該ベースコネクタに配列された端子と該ジョイントコネクタの接続部材とを接続することで、前記一方側の電線と前記他方側の電線とを所定の配線パターンで接続するように構成されていることを特徴とする遊技機のコネクタ装置。
【発明の詳細な説明】
【０００１】
【発明の属する技術分野】
本発明は、遊技機の電源線、信号線、アース線等の電線で構成される電気配線の一方側の電線と他方側の電線とを電気的に接続する遊技機のコネクタ装置に関するものである。
【０００２】
【従来の技術】
パチンコ機等の遊技機の電源供給系は、例えば、特許文献１（特開２００１−１７６１９号公報）に記載されているように、仕様変更に対して容易に対応できるように電源ユニットと独立して電源分配用の配線基板（以下「分電基板」という）を設け、電源ユニットに接続された電源線をコネクタを介して分電基板に接続すると共に、各制御基板（例えばメイン制御基板、払出制御基板、発射制御基板等）に接続された電源線をそれぞれコネクタを介して分電基板に接続することで、電源ユニット側の電源線を分電基板に形成された所定の配線パターンで分岐して各制御基板側の電源線に接続して、電源ユニットから供給される電源電圧を各制御基板に分配するようにしたものがある。
【０００３】
【特許文献１】
特開２００１−１７６１９号公報（第３頁、第１図等）
【０００４】
【発明が解決しようとする課題】
しかし、上述したように分電基板を用いて電源線を分岐する構成では、分電基板が必要となるのに加えて、電源ユニット側の電源線を分電基板に接続するためのコネクタや、各制御基板側の電源線を分電基板に接続するためのコネクタ等の多数のコネクタを設ける必要があるため、部品コストが高くなると共に、分電基板を配置するためのスペースを遊技機内部に確保する必要があり、低コスト化・省スペース化の要求を満たすことができない。しかも、電源ユニット側と各制御基板側とを接続する際に、分電基板を組み付ける作業と、電源ユニット側の電源線を分電基板に接続する作業と、各制御基板側の電源線を分電基板に接続する作業とが必要になるため、接続作業に手間が掛かる。これらの問題は、配線基板を用いて信号線やアース線等を分岐又は集約する場合にも同様に起こり得る。
【０００５】
本発明はこのような事情を考慮してなされたものであり、従ってその目的は、低コスト化、省スペース化及び接続作業性向上の要求を満たすことができる遊技機のコネクタ装置を提供することにある。
【０００６】
【課題を解決するための手段】
上記目的を達成するために、本発明の請求項１は、遊技機の電源線、信号線、アース線等の電線で構成される電気配線の一方側の電線と他方側の電線とを電気的に接続する遊技機のコネクタ装置であって、一方側の電線に接続された端子と他方側の電線に接続された端子とが配列されたベースコネクタと、このベースコネクタに配列された端子間を所定パターンで接続するように形成した接続部材が設けられたジョイントコネクタとを備え、ベースコネクタとジョイントコネクタとを連結して該ベースコネクタに配列された端子と該ジョイントコネクタの接続部材とを接続することで、一方側の電線と他方側の電線とを所定の配線パターンで接続するように構成したものである。
【０００７】
このようにすれば、ジョイントコネクタの接続部材によって決定される所定の配線パターンで電源線、信号線、アース線等の電線を接続して分岐したり集約したりすることが可能となる。この構成では、一対のコネクタ（ベースコネクタとジョイントコネクタ）を連結するだけで、全ての電線を所定の配線パターンで接続する作業を完了することができるので、接続作業性が向上する。しかも、一対のコネクタを設けるだけで良く、従来のような分電基板や多数のコネクタを設ける必要がないので、低コスト化・省スペース化も実現することができる。
【０００８】
請求項１の構成では、一方側の電線と他方側の電線の両方がベースコネクタに保持される構成であるが、請求項２のように、一方側の電線のみがベースコネクタに保持され、他方側の電線は、ジョイントコネクタに保持される構成とし、ベースコネクタ内に、前記一方側の電線に接続された端子を配列し、前記ジョイントコネクタ内に、前記他方側の電線と前記ベースコネクタに配列された端子とを所定パターンで接続するように形成された接続部材を設け、前記ベースコネクタと前記ジョイントコネクタとを連結して該ベースコネクタに配列された端子と該ジョイントコネクタの接続部材とを接続することで、前記一方側の電線と前記他方側の電線とを所定の配線パターンで接続するように構成しても良い。このようにしても、請求項１と同様の効果を得ることができる。
【０００９】
【発明の実施の形態】
《実施形態（１）》
以下、本発明をパチンコ機の電源供給系の電気配線に適用した実施形態（１）を図１乃至図４に基づいて説明する。まず、図１に基づいてパチンコ機の電源供給系の概略構成を説明する。パチンコ機の裏面側には、パチンコ機全体の制御を管理するメイン制御基板１１と、球発射機（図示せず）を制御する発射制御基板１２と、球払出装置（図示せず）を制御する払出制御基板１３等が設けられている。更に、パチンコ機の裏面側には、これらの各制御基板１１〜１３に直流電圧を供給するための電源ユニット１４が設けられている。
【００１０】
パチンコ島等の外部電源（図示せず）から供給される交流電圧（例えばＡＣ２４Ｖ）は、電源ユニット１４で複数種類の直流電圧（例えばＤＣ３２Ｖ，ＤＣ１２Ｖ，ＤＣ５Ｖ等）に変換され、この電源ユニット１４から出力される各直流電圧が、後述する電源分電用コネクタ１５で各制御基板１１〜１３毎に必要とする電源電圧に応じて分配されて各制御基板１１〜１３に供給されるようになっている。
【００１１】
図１乃至図３に示すように、電源分電用コネクタ１５は、ベースコネクタ１６と、このベースコネクタ１６に連結されるジョイントコネクタ１７とから構成されている。ベースコネクタ１６には、多数（例えば１６本）の端子Ｂ１〜Ｂ１６が２列に配列され、ジョイントコネクタ１７には、ベースコネクタ１６の各端子Ｂ１〜Ｂ１６に対応する位置にそれぞれ端子Ｊ１〜Ｊ１６が配列されている。図２（ｂ）に示すように、ベースコネクタ１６とジョイントコネクタ１７とを連結したときに、ベースコネクタ１６の各端子Ｂ１〜Ｂ１６とジョイントコネクタ１７の各端子Ｊ１〜Ｊ１６とが接触して電気的に接続されるようになっている。尚、ベースコネクタ１６とジョイントコネクタ１７は、例えば、係合爪と被係合部（共に図示せず）との弾性係合等によって連結状態が保持されるようになっている。
【００１２】
本実施形態（１）では、ベースコネクタ１６に配列された各端子Ｂ１〜Ｂ１６は、例えば、次のように接続されている。図１に示すように、電源ユニット１４のＤＣ３２Ｖ出力端子、ＤＣ１２Ｖ出力端子、ＤＣ５Ｖ出力端子に接続された各電源線１８が、それぞれベースコネクタ１６のＤＣ３２Ｖ入力端子Ｂ１、ＤＣ１２Ｖ入力端子Ｂ７、ＤＣ５Ｖ入力端子Ｂ１３に接続されている。また、電源ユニット１４のグランド端子に接続されたグランド線１９が、ベースコネクタ１６のグランド端子Ｂ２に接続されている。
【００１３】
ベースコネクタ１６のＤＣ３２Ｖ入力端子Ｂ１の近傍には、複数本（例えば２本）のＤＣ３２Ｖ出力端子Ｂ３，Ｂ５が配置され、これらのＤＣ３２Ｖ出力端子Ｂ３，Ｂ５に接続された各電源線２０が、それぞれメイン制御基板１１のＤＣ３２Ｖ入力端子、発射制御基板１２のＤＣ３２Ｖ入力端子に接続されている。
【００１４】
ベースコネクタ１６のＤＣ１２Ｖ入力端子Ｂ７の近傍には、複数本（例えば３本）のＤＣ１２Ｖ出力端子Ｂ９，Ｂ１１，Ｂ１２が配置され、これらのＤＣ１２Ｖ出力端子Ｂ９，Ｂ１１，Ｂ１２に接続された各電源線２０が、それぞれメイン制御基板１１のＤＣ１２Ｖ入力端子、発射制御基板１２のＤＣ１２Ｖ入力端子、払出制御基板１３のＤＣ１２Ｖ入力端子に接続されている。
【００１５】
ベースコネクタ１６のＤＣ５Ｖ入力端子Ｂ１３の近傍には、複数本（例えば３本）のＤＣ５Ｖ出力端子Ｂ１４，Ｂ１５，Ｂ１６が配置され、これらのＤＣ５Ｖ出力端子Ｂ１４，Ｂ１５，Ｂ１６に接続された各電源線２０が、それぞれメイン制御基板１１のＤＣ５Ｖ入力端子、発射制御基板１２のＤＣ５Ｖ入力端子、払出制御基板１３のＤＣ５Ｖ入力端子に接続されている。
【００１６】
ベースコネクタ１６のグランド端子Ｂ２の近傍には、複数本（例えば３本）のグランド端子Ｂ４，Ｂ６，Ｂ８が配置され、これらのグランド端子Ｂ４，Ｂ６，Ｂ８に接続された各グランド線２１が、それぞれメイン制御基板１１のグランド端子、発射制御基板１２のグランド端子、払出制御基板１３のグランド端子に接続されている。
【００１７】
一方、ジョイントコネクタ１７の各端子Ｊ１〜Ｊ１６は、例えば、次のように接続されている。ベースコネクタ１６のＤＣ３２Ｖ入力端子Ｂ１及びＤＣ３２Ｖ出力端子Ｂ３，Ｂ５に対応したジョイントコネクタ１７の各端子Ｊ１，Ｊ３，Ｊ５が金属板等の導電部材により電気的に接続されて、ＤＣ３２Ｖ用の接続部材２２が形成されている（図４参照）。尚、ＤＣ３２Ｖ用の接続部材２２は、各端子Ｊ１，Ｊ３，Ｊ５と一体に形成するようにしても良い。これにより、ベースコネクタ１６とジョイントコネクタ１７の連結時に、ベースコネクタ１６のＤＣ３２Ｖ入力端子Ｂ１とＤＣ３２Ｖ出力端子Ｂ３，Ｂ５とがジョイントコネクタ１７のＤＣ３２Ｖ用の接続部材２２によって電気的に接続されるようになっている。
【００１８】
ベースコネクタ１６のＤＣ１２Ｖ入力端子Ｂ７及びＤＣ１２Ｖ出力端子Ｂ９，Ｂ１１，Ｂ１２に対応したジョイントコネクタ１７の各端子Ｊ７，Ｊ９，Ｊ１１，Ｊ１２が金属板等の導電部材により電気的に接続されて、ＤＣ１２Ｖ用の接続部材２２が形成されている。尚、ＤＣ１２Ｖ用の接続部材２２は、各端子Ｊ７，Ｊ９，Ｊ１１，Ｊ１２と一体形成するようにしても良い。これにより、ベースコネクタ１６とジョイントコネクタ１７の連結時に、ベースコネクタ１６のＤＣ１２Ｖ入力端子Ｂ７とＤＣ１２Ｖ出力端子Ｂ９，Ｂ１１，Ｂ１２とが、ジョイントコネクタ１７のＤＣ１２Ｖ用の接続部材２２によって電気的に接続されるようになっている。
【００１９】
ベースコネクタ１６のＤＣ５Ｖ入力端子Ｂ１３及びＤＣ５Ｖ出力端子Ｂ１４，Ｂ１５，Ｂ１６に対応したジョイントコネクタ１７の各端子Ｊ１３，Ｊ１４，Ｊ１５，Ｊ１６が金属板等の導電部材により電気的に接続されて、ＤＣ５Ｖ用の接続部材２２が形成されている。尚、ＤＣ５Ｖ用の接続部材２２は、各端子Ｊ１３，Ｊ１４，Ｊ１５，Ｊ１６と一体形成するようにしても良い。これにより、ベースコネクタ１６とジョイントコネクタ１７の連結時に、ベースコネクタ１６のＤＣ５Ｖ入力端子Ｂ１３とＤＣ５Ｖ出力端子Ｂ１４，Ｂ１５，Ｂ１６とが、ジョイントコネクタ１７のＤＣ５Ｖ用の接続部材２２によって電気的に接続されるようになっている。
【００２０】
ベースコネクタ１６のグランド端子Ｂ２及びグランド端子Ｂ４，Ｂ６，Ｂ８に対応したジョイントコネクタ１７の各端子Ｊ２，Ｊ４，Ｊ６，Ｊ８が金属板等の導電部材により電気的に接続されて、グランド用の接続部材２２が形成されている。尚、グランド用の接続部材２２は、各端子Ｊ２，Ｊ４，Ｊ６，Ｊ８と一体形成するようにしても良い。これにより、ベースコネクタ１６とジョイントコネクタ１７の連結時に、ベースコネクタ１６のグランド端子Ｂ２とグランド端子Ｂ４，Ｂ６，Ｂ８とが、ジョイントコネクタ１７のグランド用の接続部材２２によって電気的に接続されるようになっている。
【００２１】
以上のように構成した電源分電用コネクタ１５では、ベースコネクタ１６とジョイントコネクタ１７とを連結してベースコネクタ１６に配列された端子間をジョイントコネクタ１７の接続部材２２によって上述したパターンで接続することで、電源ユニット１４側の電源線１８とグランド線１９が所定の配線パターンで分岐されて、各制御基板１１〜１３側の電源線２０とグランド線２１に接続される。
【００２２】
以上説明した本実施形態（１）では、一対の電源分電用コネクタ１５（ベースコネクタ１６とジョイントコネクタ１７）を連結するだけで、電源ユニット１４側の電源線１８と各制御基板１１〜１３側の電源線２０との間を所定の配線パターンで接続する作業、及び電源ユニット１４側のグランド線１９と各制御基板１１〜１３側のグランド線２１との間を所定の配線パターンで接続する作業を完了することができるので、パチンコ機の電源供給系の電気配線の接続作業性を向上させることができる。しかも、一対の電源分電用コネクタ１５を設けるだけで良く、分電基板や多数のコネクタを設ける必要がないので、低コスト化・省スペース化の要求も満たすことができる。
また、異なる仕様の接続部材２２を設けたジョイントコネクタ１７に取り換えることで、電源供給系の仕様変更にも対応することができる。
【００２３】
《実施形態（２）》
次に、図５を用いて本発明をアレンジ式パチンコ機の球検出系の電気配線に適用した実施形態（２）を説明する。アレンジ式パチンコ機の遊技盤（図示せず）には、多数（例えば１６個）のチャッカー（図示せず）が配置され、これらのチャッカーに対応して第１〜第１６の球検出スイッチＳＷ１〜ＳＷ１６が設けられている。これらの第１〜第１６の球検出スイッチＳＷ１〜ＳＷ１６の球検出信号が、後述する中継用コネクタ２４を介して制御基板２３に入力されるようになっている。
【００２４】
中継用コネクタ２４は、ベースコネクタ２５とジョイントコネクタ２６とから構成され、ベースコネクタ２５には、多数（例えば５０本）の端子Ｂ１〜Ｂ５０が２列で配列され、ジョイントコネクタ２６には、ベースコネクタ２４の各端子Ｂ１〜Ｂ５０に対応する位置にそれぞれ端子Ｊ１〜Ｊ５０が配列されている。
【００２５】
本実施形態（２）では、ベースコネクタ２５に配列された各端子Ｂ１〜Ｂ５０は、例えば、次のように接続されている。第１〜第９の球検出スイッチＳＷ１〜ＳＷ９の信号出力端子に接続された各信号線２７が、それぞれベースコネクタ２５の第１〜第９の信号入力端子Ｂ１，Ｂ５，Ｂ９，………，Ｂ２９，Ｂ３３（図５では縦方向に１つずつ飛ばした順番）に接続されている。
【００２６】
また、第１０〜第１６の球検出スイッチＳＷ１０〜ＳＷ１６の信号出力端子に接続された各信号線２７が、それぞれベースコネクタ２５の第１０〜第１６の信号入力端子Ｂ３７，Ｂ３９，Ｂ４１，………，Ｂ４７，Ｂ４９（図５では縦方向に並んだ順番）に接続されている。
【００２７】
更に、第１〜第１６の球検出スイッチＳＷ１〜ＳＷ１６のグランド端子に接続された各グランド線２８が、それぞれベースコネクタ２５のグランド端子Ｂ２，Ｂ４，Ｂ６，………，Ｂ３０，Ｂ３２（図５では縦方向に並んだ順番）に接続されている。
【００２８】
そして、ベースコネクタ２５の第１〜第９の信号入力端子Ｂ１，Ｂ５，Ｂ９，………，Ｂ２９，Ｂ３３の近傍（図５では下側）には、それぞれ第１〜第９の信号出力端子Ｂ３，Ｂ７，Ｂ１１，………，Ｂ３１，Ｂ３５が配置され、これら第１〜第９の信号出力端子Ｂ３，Ｂ７，Ｂ１１，………，Ｂ３１，Ｂ３５に接続された各信号線２９が、それぞれ制御基板２３の第１〜第９の信号入力端子に接続されている。
【００２９】
また、ベースコネクタ２５の第１０〜第１６の信号入力端子Ｂ３７，Ｂ３９，Ｂ４１，………，Ｂ４７，Ｂ４９の近傍（図５では右側）には、それぞれ第１０〜第１６の信号出力端子Ｂ３８，Ｂ４０，Ｂ４２，………，Ｂ４８，Ｂ５０が配置され、これら第１０〜第１６の信号出力端子Ｂ３８，Ｂ４０，Ｂ４２，………，Ｂ４８，Ｂ５０に接続された各信号線２９が、それぞれ制御基板２３の第１０〜第１６の信号入力端子に接続されている。
【００３０】
更に、ベースコネクタ２５のグランド端子Ｂ３２の近傍（図５では下側）には、１本のコモン端子Ｂ３４が配置され、このコモン端子Ｂ３４に接続されたコモン線３０が、制御基板２３のコモン端子に接続されている。
【００３１】
一方、ジョイントコネクタ２６の各端子Ｊ１〜Ｊ５０は、例えば、次のように接続されている。ベースコネクタ２５の第１の信号入力端子Ｂ１及び第１の信号出力端子Ｂ３に対応したジョイントコネクタ２６の各端子Ｊ１，Ｊ３が金属板等の導電部材により電気的に接続されて、第１の信号用の接続部材３１が形成されている。同じようにして、各端子Ｊ５，Ｊ７が接続された第２の信号用の接続部材３１、各端子Ｊ９，Ｊ１１が接続された第３の信号用の接続部材３１、………各端子Ｊ４９，Ｊ５０が接続された第１６の信号用の接続部材３１が形成されている。尚、各信号用の接続部材３１は、それぞれ各端子Ｊ１，Ｊ３等と一体形成するようにしても良い。これにより、ベースコネクタ２５とジョイントコネクタ２６の連結時に、ベースコネクタ２５の第１〜第１６の各信号入力端子Ｂ１等と第１〜第１６の各信号出力端子Ｂ３等とが、それぞれジョイントコネクタ２６の第１〜第１６の信号用の接続部材３１によって電気的に接続されるようになっている。
【００３２】
また、ベースコネクタ２５のグランド端子Ｂ２，Ｂ４，Ｂ６，………Ｂ３０，Ｂ３２及びコモン端子Ｂ３４に対応したジョイントコネクタ２６の各端子Ｊ２，Ｊ４，Ｊ６，………，Ｊ３０，Ｊ３２，Ｊ３４が金属板等の導電部材により電気的に接続されて、コモン用の接続部材３１が形成されている。尚、コモン用の接続部材３１は、各端子Ｊ２，Ｊ４，Ｊ６，………，Ｊ３０，Ｊ３２，Ｊ３４と一体形成するようにしても良い。これにより、ベースコネクタ２５とジョイントコネクタ２６の連結時に、ベースコネクタ２５のグランド端子Ｂ２，Ｂ４，Ｂ６，………Ｂ３０，Ｂ３２とコモン端子Ｂ３４とが、ジョイントコネクタ２６のコモン用の接続部材３１によって電気的に接続されるようになっている。
【００３３】
以上のように構成した中継用コネクタ２４では、ベースコネクタ２５とジョイントコネクタ２６とを連結してベースコネクタ２５に配列された端子間をジョイントコネクタ２６の接続部材３１によって上述したパターンで接続することで、球検出スイッチＳＷ１〜ＳＷ１６側の各信号線２７がそれぞれ制御基板２３側の各信号線２９に接続されると共に、球検出スイッチＳＷ１〜ＳＷ１６側の各グランド線２８が集約されて制御基板２３側のコモン線３０に接続される。
【００３４】
以上説明した本実施形態（２）のようにすれば、アレンジ式パチンコ機の球検出系の電気配線の接続作業性を向上させることができると共に、低コスト化・省スペース化の要求を満たすことができる。
【００３５】
《実施形態（３）》
上記実施形態（１），（２）では、一方側の電線と他方側の電線の両方がベースコネクタに保持される構成になっているが、一方側の電線のみがベースコネクタに保持され、他方側の電線がジョイントコネクタに保持される構成としても良い。以下、これを具体化した本発明の実施形態（３）を図６を用いて説明する。尚、前記実施形態（２）と実質的に同一部分には同一符号を付して説明を省略する。
【００３６】
中継用コネクタ３２は、ベースコネクタ３３とジョイントコネクタ３４とから構成され、ベースコネクタ３３には、多数（例えば３２本）の端子Ｂ１〜Ｂ３２が２列で配列され、ジョイントコネクタ３４には、ベースコネクタ３３の各端子Ｂ１〜Ｂ３２に対応した位置にそれぞれ端子Ｊ１〜Ｊ３２が配列されている。
【００３７】
本実施形態（３）では、ベースコネクタ３３に配列された各端子Ｂ１〜Ｂ３２は、例えば、次のように接続されている。第１〜第１６の球検出スイッチＳＷ１〜ＳＷ１６の信号出力端子に接続された各信号線２７が、それぞれベースコネクタ３３の第１〜第１６の信号入力端子Ｂ１，Ｂ３，Ｂ５………，Ｂ２９，Ｂ３１に接続されている。また、第１〜第１６の球検出スイッチＳＷ１〜ＳＷ１６のグランド端子に接続された各グランド線２８が、それぞれベースコネクタ２５のグランド端子Ｂ２，Ｂ４，Ｂ６，………，Ｂ３０，Ｂ３２に接続されている。
【００３８】
一方、ジョイントコネクタ３４の各端子Ｊ１〜Ｊ３２は、例えば、次のように接続されている。ベースコネクタ３３の第１〜第１６の信号入力端子Ｂ１，Ｂ３，Ｂ５………，Ｂ２９，Ｂ３１に対応したジョイントコネクタ３４の第１〜第１６の信号出力端子Ｊ１，Ｊ３，Ｊ５………，Ｊ２９，Ｊ３１には、それぞれ信号線２９が接続され、これらの各信号線２９が、それぞれ制御基板２３の第１〜第１６の信号入力端子に接続されている。
【００３９】
また、ベースコネクタ３３のグランド端子Ｂ２，Ｂ４，Ｂ６，………，Ｂ３０，Ｂ３２に対応したジョイントコネクタ３４の第１〜第１６のグランド端子Ｊ２，Ｊ４，Ｊ６………，Ｊ３０，Ｊ３２が金属板等の導電部材により電気的に接続されて、信号用の接続部材３５が形成されている。尚、接続部材３５は、各端子Ｊ２，Ｊ４，Ｊ６………，Ｊ３０，Ｊ３２と一体形成するようにしても良い。この接続部材３５に接続されたコモン線３０が、制御基板２３のコモン端子に接続されている。
【００４０】
以上のように構成した中継用コネクタ３２では、ベースコネクタ３３とジョイントコネクタ３４とを連結することで、球検出スイッチＳＷ１〜ＳＷ１６側の各信号線２７がそれぞれ制御基板２３側の各信号線２９に接続されると共に、球検出スイッチＳＷ１〜ＳＷ１６側の各グランド線２８が集約されて制御基板２３側のコモン線３０に接続される。
【００４１】
以上説明した本実施形態（３）のようにしても、アレンジ式パチンコ機の球検出系の電気配線の接続作業性を向上させることができると共に、低コスト化・省スペース化の要求を満たすことができる。
【００４２】
尚、上記各実施形態（１）〜（３）では、本発明を電源供給系の電気配線又は球検出系の電気配線に適用したが、本発明は、例えば、各部品に接続された放電防止用のアース線を集約して１本のアース線に接続する電気配線に適用しても良い等、電源線、信号線、アース線等の電線で構成される種々の電気配線に適用して実施できる。
【００４３】
また、一方側の電線の先端部に設けたベースコネクタと他方側の電線の先端部に設けたベースコネクタとを、接続部材を設けたジョイントコネクタを介して接続することで、一方側の電線と他方側の電線とを所定の配線パターンで接続するようにしても良い。
【００４４】
その他、本発明の適用範囲は一般のパチンコ機やアレンジ式パチンコ機の電気配線に限定されず、パチンコ球を使用してスロットゲームを行う遊技機等、種々の遊技機の電気配線に本発明を適用しても良い。
【００４５】
【発明の効果】
以上の説明から明らかなように、本発明の請求項１の遊技機のコネクタ装置によれば、一方側の電線に接続された端子と他方側の電線に接続された端子とが配列されたベースコネクタと、このベースコネクタに配列された端子間を所定パターンで接続するように形成した接続部材が設けられたジョイントコネクタとを連結して、一方側の電線と他方側の電線とを所定の配線パターンで接続するようにしたので、ベースコネクタとジョイントコネクタを連結するだけで、全ての電線を所定の配線パターンで接続することができ、接続作業性を向上させることができると共に、分電基板や多数のコネクタを設ける必要がなく、低コスト化・省スペース化の要求も満たすことができる。
【００４６】
また、請求項２では、一方側の電線に接続された端子が配列されたベースコネクタと、他方側の電線に接続され且つ該他方側の電線とベースコネクタに配列された端子とを所定パターンで接続するように形成した接続部材が設けられたジョイントコネクタとを連結して、一方側の電線と他方側の電線とを所定の配線パターンで接続するようにしたので、請求項１と同様の効果を得ることができる。
【図面の簡単な説明】
【図１】本発明の実施形態（１）におけるパチンコ機の電源供給系の電気配線図
【図２】（ａ）は電源分電用コネクタの切り離し時の縦断側面図、（ｂ）は電源分電用コネクタの連結時の縦断側面図
【図３】電源分電用コネクタの外観斜視図
【図４】ジョイントコネクタの一部破断平面図
【図５】実施形態（２）におけるアレンジ式パチンコ機の球検出系の電気配線図
【図６】実施形態（３）におけるアレンジ式パチンコ機の球検出系の電気配線図
【符号の説明】
１５…電源分電用コネクタ、１６…ベースコネクタ、１７…ジョイントコネクタ、１８…電源線、１９…グランド線、２０…電源線、２１…グランド線、２２…接続部材、２３…制御基板、２４…中継用コネクタ、２５…ベースコネクタ、２６…ジョイントコネクタ、２７…信号線、２８…グランド線、２９…信号線、３０…コモン線、３１…接続部材、３２…中継用コネクタ、３３…ベースコネクタ、３４…ジョイントコネクタ、３５…接続部材、Ｂ１〜Ｂ５０…端子、Ｊ１〜Ｊ５０…端子。
【図１】
2004248796.tif 000003
【図２】
2004248796.tif 000004
【図３】
2004248796.tif 000005
【図４】
2004248796.tif 000006
【図５】
2004248796.tif 000007
【図６】
2004248796.tif 000008